(57)【要約】【課題】互いに略直交状に配置される複数のフレームを接続する際に、組み立て作業性を向上させることができるフレーム接続構造、及びこれを利用したエアコン置台を提供する。【解決手段】接続部材４０は、縦フレーム１０に固定されるとともに横フレーム２０に係合され、縦フレーム１０と横フレーム２０とをＬ字状に接続する。支柱３０は、横フレーム２０と接続部材４０との係合部に対して前記Ｌ字の外側から重ねられるように配置される。支柱３０の溝部３５にボルト７５の頭部７５ａがはめ込まれ、ボルト７５のねじ部７５ｂが、ねじ孔２６，２７，５７，５８に挿通される。そして、支柱３０と前記係合部とが、前記Ｌ字の内側から縦フレーム１０の長手方向と略平行方向へのナット７６の締結によって固定される。【選択図】図２
2008057834.tif 000002
【特許請求の範囲】
【請求項１】
互いに略直交状に配置される第１フレームと第２フレームと第３フレームとを接続するフレーム接続構造であって、
第１フレームに固定されるとともに、第２フレームの長手方向に沿って延びるように形成された延設部が第２フレームに係合されることで、第１フレームと第２フレームとをＬ字状に接続する接続部材を備え、
第３フレームは、前記延設部と第２フレームとの係合部に対して前記Ｌ字の外側から重ねられるように配置されて、この第３フレームと前記係合部とが、前記Ｌ字の内側から第１フレームの長手方向と略平行方向への締結部材の締結によって固定されている
ことを特徴とするフレーム接続構造。
【請求項２】
請求項１に記載のフレーム接続構造において、
前記締結部材はナットであり、
前記ナットと螺合するボルトは、前記係合部に設けられたねじ孔に挿通されるとともに、前記第３フレームの長手方向に沿ってスライド自在に、且つ回り止めがされた状態で第３フレームに保持される
ことを特徴とするフレーム接続構造。
【請求項３】
請求項２に記載のフレーム接続構造において、
前記ボルトの頭部は、前記第３フレームの長手方向に沿って形成され、前記係合部側に向かって開口する溝部に対して保持される
ことを特徴とするフレーム接続構造。
【請求項４】
請求項１〜３のいずれか一項に記載のフレーム接続構造において、
前記第２フレームには、長手方向に沿って中空部が形成されており、
前記接続部材は、前記延設部が前記中空部の内面と嵌合することで、第２フレームに係合される
ことを特徴とするフレーム接続構造。
【請求項５】
請求項１〜４のいずれか一項に記載のフレーム接続構造において、
前記第３フレームは、２つの壁体がＬ字状に配置されて形成され、一壁体が前記締結部材によって前記係合部に固定されるとともに、他壁体が前記第１フレームにねじ固定される
ことを特徴とするフレーム接続構造。
【請求項６】
請求項１〜５のいずれか一項に記載のフレーム接続構造を備えたエアコン置台であって、
前記第１フレームは所定間隔で２本平行に配置されるとともに、前記第２フレームは第１フレームの長手方向の両端部においてそれぞれ直交するように２本配置されて水平フレームが形成され、さらに、第１フレームと第２フレームとの各接続部で前記第３フレームが支柱を構成するように形成されている
ことを特徴とするエアコン置台。
【発明の詳細な説明】
【技術分野】
【０００１】
本発明は、互いに略直交状に配置される複数のフレームを接続するフレーム接続構造に関するものである。また、本発明は、こうしたフレーム接続構造を用いたエアコン置台に関するものである。
【背景技術】
【０００２】
従来、エアコン室外機等を載置するような置台として、互いに略直交状に配置される縦フレームと横フレームと支柱とをそれぞれ接続することで構成されているものがある。こうした置台としては、特許文献１に示されるように、各２本の縦フレームと横フレームとを矩形状に接続して水平フレームを形成し、この水平フレームの４隅をそれぞれ支柱に対して固定するようにしたものが知られている。
【０００３】
図９は特許文献１に係る置台のフレーム接続構造を示す水平断面図である。このフレーム接続構造においては、縦フレーム１０１と横フレーム１０２とを支柱１０３の内面側で接続する接続部材１０４が設けられる。接続部材１０４には、縦フレーム１０１及び横フレーム１０２の中空部に挿入される挿入部１０４ａ，１０４ｂが形成される。挿入部１０４ａ，１０４ｂには、その先端に係合部１０４ｃ，１０４ｄが設けられている。そして、この係合部１０４ｃ，１０４ｄが縦フレーム１０１及び横フレーム１０２に設けられた被係合部１０１ａ，１０２ａと係合することにより、接続部材１０４を介してと縦フレーム１０１と横フレーム１０２とが接続されて、水平フレームが形成される。
【０００４】
接続部材１０４は、支柱１０３の内面側に配置され、凸状に形成された２つの継手部１０４ｅが支柱１０３の内面に形成された２つの溝部１０３ａと係合することで、支柱１０３に対して高さ方向にスライド自在に支持されている。そして、支柱１０３内面側の縦フレーム１０１及び横フレーム１０２に挟まれた空間から、ボルト１０５を締結することによって、接続部材１０４を支柱１０３に対して固定する。このようにして、特許文献１のフレーム接続構造では、支柱１０３の内側からボルト１０５を締結するように構成し、ボルト１０５や接続部材１０４が置台の外側から見え難くなるようにして外観性の向上を図っている。
【特許文献１】特開２００５−２９９９５３号公報
【発明の開示】
【発明が解決しようとする課題】
【０００５】
ところで、上記のようなフレーム接続構造では、接続部材を支柱に対して固定するときに、縦フレーム及び横フレームにより形成される水平フレームの内隅部でボルトの締結が行われるため、ボルトの締結作業時にボルトを回転させるスパナが隣接する縦フレーム又は横フレームにぶつかり、スパナを大きく回転させることができない場合がある。このようにスパナを大きく回転させることができなくなると、ボルトの締結に時間を要し、組み立て作業性が悪くなるという問題がある。
【０００６】
本発明は、こうした実情に鑑みてなされたものであり、その目的は、互いに略直交状に配置される複数のフレームを接続する際に、組み立て作業性を向上させることができるフレーム接続構造、及びこれを利用したエアコン置台を提供することにある。
【課題を解決するための手段】
【０００７】
本発明に係るフレーム接続構造は、互いに略直交状に配置される第１フレームと第２フレームと第３フレームとを接続するフレーム接続構造であって、第１フレームに固定されるとともに、第２フレームの長手方向に沿って延びるように形成された延設部が第２フレームに係合されることで、第１フレームと第２フレームとをＬ字状に接続する接続部材を備え、第３フレームは、前記延設部と第２フレームとの係合部に対して前記Ｌ字の外側から重ねられるように配置されて、この第３フレームと前記係合部とが、前記Ｌ字の内側から第１フレームの長手方向と略平行方向への締結部材の締結によって固定されていることを特徴とする。
【０００８】
同構成によれば、第１フレームと第２フレームとをＬ字状に接続する接続部材は、第１フレームに固定されるとともに、第２フレームの長手方向に沿って延びるように形成された延設部によって第２フレームに係合される。そして、第３フレームは、前記延設部と第２フレームとの係合部に対して前記Ｌ字の外側から重ねられるように配置されて、第３フレームと係合部とが、前記Ｌ字の内側から第１フレームの長手方向と略平行方向への締結部材の締結によって固定される。このため、締結部材を締結する際に、締結作業に対して空間的な制約を与える部材が、第１フレーム側のみに配置されるため、前記Ｌ字の内隅部といった奥まった空間で締結作業を行う場合に比べて、組み立て作業性が向上する。例えば、締結部材がナットである場合には、ナットを回転させるためのスパナ等を大きく回転させることができるため、締結部材の締結時間を短縮し、組み立て作業性を向上させることができる。また、締結部材は前記Ｌ字の内側に配置されるため、外観性の向上を図ることができる。
【０００９】
また、前記締結部材はナットであり、前記ナットと螺合するボルトは、前記係合部に設けられたねじ孔に挿通されるとともに、前記第３フレームの長手方向に沿ってスライド自在に、且つ回り止めがされた状態で第３フレームに保持されるようにしてもよい。
【００１０】
同構成によれば、締結部材はナットであり、ナットと螺合するボルトが、第３フレームの長手方向に沿ってスライド自在に保持されるため、第１フレーム及び第２フレームを、第３フレームの長手方向の任意の位置で固定することができる。また、ボルトは、係合部に設けられたねじ孔に挿通されるとともに、回り止めがされた状態で第３フレームに保持されるため、係合部を所望の位置に位置決めしながら、容易にナットの締結作業を行うことができる。
【００１１】
また、上記のフレーム接続構造において、前記ボルトの頭部は、前記第３フレームの長手方向に沿って形成され、前記係合部側に向かって開口する溝部に対して保持されるようにしてもよい。
【００１２】
同構成によれば、ボルトの頭部は、第３フレームの長手方向に沿って形成され、係合部側に向かって開口する溝部に対して保持されるため、ボルトの頭部を前記Ｌ字の外側から見え難くすることができ、外観性の向上を図ることができる。また、第３フレームには、第１フレームの長手方向に対して、ボルトの頭部をその厚み方向に保持するだけの長さが確保されていればよいため、第３フレームの薄型化を図ることができ、フレームの構造における有効空間を増加させることができる。
【００１３】
また、前記第２フレームには、長手方向に沿って中空部が形成されており、前記接続部材は、前記延設部が前記中空部の内面と嵌合することで、第２フレームに係合されるようにしてもよい。
【００１４】
同構成によれば、接続部材は、延設部が第２フレームの長手方向に沿って形成された中空部の内面と嵌合することで、第２フレームに係合されるため、接続部材によって第１フレームと第２フレームとを接続したときに、第１フレームと第２フレームとの仮組み状態を安定して維持することができ、組み立て作業における取り扱いが容易となる。また、第２フレームの中空部の内面を利用して係合部が形成されるため、外観性の向上を図ることができる。
【００１５】
また、前記第３フレームは、２つの壁体がＬ字状に配置されて形成され、一壁体が前記締結部材によって前記係合部に固定されるとともに、他壁体が前記第１フレームにねじ固定されるようにしてもよい。
【００１６】
同構成によれば、第３フレームは２つの壁体がＬ字状に配置されて形成されるため、第３フレームの強度を向上させることができる。また、一壁体が締結部材によって係合部に固定されるとともに、他壁体が一方のフレームにねじ固定されるため、第３フレームの各壁体がそれぞれ第１フレームと第２フレームとに固定されて、各フレームの結合強度を増加させることができる。
【００１７】
本発明に係るエアコン置台は、上記のフレーム接続構造を備えたエアコン置台であって、前記第１フレームは所定間隔で２本平行に配置されるとともに、前記第２フレームは第１フレームの長手方向の両端部においてそれぞれ直交するように２本配置されて水平フレームが形成され、さらに、第１フレームと第２フレームとの各接続部で前記第３フレームが支柱を構成するように形成されていることを特徴とする。
【００１８】
同構成によれば、各２本の第１フレーム及び第２フレームにより形成されるエアコン置台の水平フレームと、第１フレームと第２フレームとの各接続部で第３フレームにより形成されるエアコン置台の支柱とは、上記のフレーム接続構造により接続されて構成されるため、組み立て作業性及び外観性を向上させたエアコン置台とすることができる。
【発明の効果】
【００１９】
本発明によれば、第１フレームと第２フレームとは、接続部材によってＬ字状に接続され、前記Ｌ字の外側に配置される第３フレームへの固定が、前記Ｌ字の内側から第１フレームの長手方向と略平行方向への締結部材の締結によって行われる。このため、締結部材を締結する際に、締結作業に対して空間的な制約を与える部材が、第１フレーム側のみに配置されるため、前記Ｌ字の内隅部といった奥まった空間で締結作業を行う場合に比べて、組み立て作業性が向上する。また、締結部材は前記Ｌ字の内側に配置されるため、外観性の向上を図ることができる。
【発明を実施するための最良の形態】
【００２０】
以下、図１〜８を参照して、本発明に係るフレーム接続構造をエアコン置台に適用した一実施形態について説明する。
図１は本実施形態のエアコン置台１の斜視図である。エアコン置台１は、その骨格を構成する縦フレーム（第１フレーム）１０と横フレーム（第２フレーム）２０と支柱（第３フレーム）３０とを備える。エアコン置台１は、縦フレーム１０が所定間隔で２本平行に配置されるとともに、横フレーム２０が縦フレーム１０の長手方向の両端部においてそれぞれ直交するように２本配置されて、その水平フレームが形成されている。縦フレーム１０と横フレーム２０とは、各フレームの端部に設けられる４箇所の接続部Ａにおいて接続される。４箇所の接続部Ａには、その外側から、縦フレーム１０及び横フレーム２０に対して直交状に配置された支柱３０がそれぞれ接続されている。すなわち、縦フレーム１０と横フレーム２０と支柱３０とは、互いに略直交状に配置され、接続部Ａにおいてそれぞれが接続されている。
【００２１】
２本の横フレーム２０の間には、縦フレーム１０と平行して２本の載置ステー６０が設けられている。載置ステー６０の上面には、各２個ずつ除振部材６１配置され、この除振部材６１の上にエアコン室外機が載置される。また、支柱３０の下部には、アジャスタ７０が設けられており、アジャスタ７０の支柱３０に対する固定位置を変更することによって、水平フレームの高さ方向位置を調整できるように構成されている。
【００２２】
図２は接続部Ａにおける分解斜視図である。接続部Ａは、縦フレーム１０と横フレーム２０とが接続部材４０を介して接続され、縦フレーム１０と横フレーム２０との接続によって形成される水平フレームの隅部の外側に支柱３０が固定されることで構成される。
【００２３】
縦フレーム１０は、ステンレス等の板材により形成され、上側壁１１、外側壁１２、及び下側壁１３がコの字状に配置されて構成される。縦フレーム１０は、長手方向に沿って略一定の断面形状を有するように形成されている。上側壁１１には、ねじ７１が挿通するねじ孔１４が設けられ、外側壁１２には、ねじ７２，７３，７４が挿通するねじ孔１５，１６，１７が設けられる。
【００２４】
接続部材４０は、アルミニウム又はアルミ系合金を材料として、押出加工により形成され、上下方向に沿って略一定の断面形状を有するように形成されている。接続部材４０は、縦フレーム１０の各側壁１１，１２，１３に囲まれる空間に配置され、縦フレーム１０に対して固定される固定部４１と、横フレーム２０の長手方向に延びるように形成された延設部４２とを備える。接続部材４０は、縦フレーム１０に固定されるとともに、延設部４２が横フレーム２０に係合されることで、縦フレーム１０と横フレーム２０とをＬ字状に接続する。
【００２５】
固定部４１は、２つの中空部４３，４４を有している。支柱３０と反対側に形成された中空部４３の外側壁４５には、ねじ７２，７３が締結されるねじ孔４６，４７が設けられている。支柱３０側に形成された中空部４４内には、中空部４３と中空部４４とを仕切る中間壁４８に、ねじ７１が締結される略円環状の下孔部４９が設けられている。また、中空部４４の外側壁５０には、ねじ７４が締結されるねじ孔５１が設けられている。
【００２６】
延設部４２は、固定部４１の中空部４４の内側壁５２から横フレーム２０側に向かって形成された２つの突出部５３，５４によって構成される。内側の突出部５３及び外側の突出部５４には、それぞれ中空部５５，５６が形成されている。突出部５３及び突出部５４には、支柱３０側から挿入されるボルト７５が挿通するねじ孔５７，５８が、縦フレーム１０の長手方向と平行方向に設けられている。
【００２７】
横フレーム２０は、アルミニウム又はアルミ系合金を材料として、押出加工により形成され、内部に形成された中空部２１の４つの側壁、すなわち、上側壁２２、外側壁２３、下側壁２４、及び内側壁２５が矩形状に配置されて構成される。横フレーム２０は、長手方向に沿って略一定の断面形状を有するように形成されている。中空部２１は、延設部４２の２つの突出部５３，５４が、その内面に嵌合するような形状に形成されている。そして、中空部２１と突出部５３，５４とが嵌合することで、横フレーム２０と接続部材４０との係合部が構成される。また、外側壁２３及び内側壁２５には、ボルト７５が挿通するねじ孔２６，２７が設けられている。
【００２８】
横フレーム２０の上側壁２２には、載置ステー６０をねじ固定するための凹状のレール部２８が長手方向に沿って形成されている。ここで、図３に横フレーム２０と載置ステー６０との固定状態を示す。横フレーム２０の上側壁２２の上面には載置ステー６０が配置される。載置ステー６０の下面６２にはねじ孔６２ａが設けられている。そして、ねじ７７がねじ孔６２ａから挿入されて、横フレーム２０のレール部２８の内面２８ａに螺合し、これにより載置ステー６０が横フレーム２０に対して固定される。
【００２９】
支柱３０は、アルミニウム又はアルミ系合金を材料として、押出加工により形成され、上下方向に沿って略一定の断面形状を有するように形成されている。支柱３０は、縦フレーム１０の外側に配置される第１壁体３１と、横フレーム２０の外側に配置される第２壁体３２とによって、Ｌ字状に形成される。すなわち、支柱３０は、Ｌ字状に接続される縦フレーム１０と横フレーム２０との外側から重ねられるように配置される。
【００３０】
第１壁体３１には、ねじ７４が挿通するねじ孔３３が設けられている。第２壁体３２には、中空部３４と溝部３５とが設けられている。中空部３４は、接続部材４０の中空部４４の外側に位置する。中空部３４には、下方からアジャスタ７０が挿入され、図１に示すようにアジャスタ７０と支柱３０とが固定されている。溝部３５は、支柱３０の長手方向に沿って形成され、横フレーム２０と接続部材４０との係合部側に向かって開口している。溝部３５には、ボルト７５の頭部７５ａがはめ込まれる。溝部３５の両側面３５ａ間の幅は、頭部７５ａの六角形の対辺の幅よりも僅かに大きくなるように形成されている。これにより、ボルト７５の頭部７５ａが、支柱３０の高さ方向に沿ってスライド自在に、且つ回り止めがされた状態で、溝部３５に対して保持される。ボルト７５のねじ部７５ｂは、横フレーム２０の内側に配置された締結部材としてのナット７６に螺合される。
【００３１】
図４は接続部Ａをエアコン置台１の上方からみたときの平面図である。縦フレーム１０と横フレーム２０とを接続する接続部材４０は、エアコン置台１の上方から見て隠れるように配置されている。図５は図４のＢ−Ｂ線に沿う断面図である。同図に示すように、縦フレーム１０と接続部材４０とは、ねじ７１，７２，７３によって固定される。すなわち、ねじ７１が、縦フレーム１０の上側壁１１のねじ孔１４から挿入されて、接続部材４０の下孔部４９に締結されるとともに、ねじ７２，７３が、それぞれ縦フレーム１０の外側壁１２のねじ孔１５，１６から挿入されて、接続部材４０のねじ孔４６，４７に締結される。
【００３２】
図６は図４のＣ−Ｃ線に沿う断面図である。同図に示すように、接続部材４０の延設部４２は、横フレーム２０の中空部２１の内面に嵌合され、これにより横フレーム２０と接続部材４０との係合部Ｆが構成される。接続部材４０の延設部４２は、レール部２８を挟むように内側と外側とに分岐して配置され、それぞれの突出部５３，５４が中空部２１の内面と嵌合している。
【００３３】
また、頭部７５ａが溝部３５に保持されたボルト７５は、ねじ部７５ｂが、横フレーム２０の外側壁２３のねじ孔２６、接続部材４０の突出部５４のねじ孔５８、接続部材４０の突出部５３のねじ孔５７、横フレーム２０の内側壁２５のねじ孔２７の順に貫通するように配置される。そして、ボルト７５のねじ部７５ｂに対するナット７６の螺合により、支柱３０と係合部Ｆとが固定される。
【００３４】
このように、支柱３０は、横フレーム２０と接続部材４０との係合部Ｆに対して、Ｌ字状に接続される各フレーム１０，２０の外側から重ねられるように配置されて、この支柱３０と係合部Ｆとが、前記Ｌ字の内側から縦フレーム１０の長手方向と略平行方向にナット７６が締結されることで固定されている。
【００３５】
図７は図６のＤ−Ｄ線に沿う断面図である。同図に示すように、支柱３０と縦フレーム１０と接続部材４０とは、ねじ７４によって固定される。すなわち、ねじ７４が、支柱３０の第１壁体３１のねじ孔３３から挿入されて、縦フレーム１０の外側壁１２のねじ孔１７を挿通して接続部材４０のねじ孔５１に締結される。このように、支柱３０の第１壁体３１は、ねじ７４によって縦フレーム１０に対してねじ固定され、第２壁体３２は、ボルト７５及びナット７６によって横フレーム２０と接続部材４０との係合部Ｆに固定される。
【００３６】
次に、上記のように構成される接続部Ａの組み立て方法について説明する。接続部Ａの組み立てを行う際には、まず縦フレーム１０と接続部材４０との結合を行う。縦フレーム１０と接続部材４０との結合は、接続部材４０を縦フレーム１０の各側壁１１，１２，１３に囲まれる空間に配置するとともに、ねじ７１，７２，７３を縦フレーム１０のねじ孔１４，１５，１６から挿入して、接続部材４０の下孔部４９及びねじ孔４６，４７に締結することで行う。
【００３７】
次いで、接続部材４０を横フレーム２０に対して係合する。接続部材４０と横フレーム２０との係合は、接続部材４０の延設部４２を横フレーム２０の中空部２１に挿入することで行う。これにより、接続部材４０を介して縦フレーム１０と横フレーム２０とがＬ字状に接続される。また、他の３箇所の接続部Ａにおいても、上記と同様の手順をもって縦フレーム１０と横フレーム２０との接続を行い、これによって水平フレームが組み立てられる。
【００３８】
次いで、水平フレームを支柱３０に対して固定する。このとき、水平フレームと支柱３０との固定に先立って、支柱３０の溝部３５にボルト７５の頭部７５ａをはめ込んでおく。そして、ボルト７５のねじ部７５ｂを横フレーム２０の外側壁２３のねじ孔２６側から挿入し、横フレーム２０の内側壁２５側からナット７６を締結する。
【００３９】
ここで、ボルト７５のねじ部７５ｂに対してナット７６を締結するときの状態を図８に示す。図８は図４の矢印Ｅ方向の矢視図である。ナット７６はスパナＳを用いて締結される。スパナＳを回転させる際には、同図に示すように、縦フレーム１０と接続部材４０とが配置される領域Ｘ以外の領域を使用することができる。すなわち、スパナＳを回転させることができる角度Ｙを、１８０°以上の大きな角度とすることができるため、組み立て作業性を向上させることができる。
【００４０】
そして、ねじ７４を支柱３０の第１壁体３１のねじ孔３３から挿入して、接続部材４０のねじ孔５１に締結する。また、他の３箇所の接続部Ａにおいても、上記と同様の手順をもって水平フレームと支柱３０との結合を行う。これにより、エアコン置台１の接続部Ａにおける組み立てが完了する。なお、ボルト７５は支柱３０の高さ方向に沿ってスライド自在に保持されているため、支柱３０におけるボルト７５の高さの設定によって、水平フレームが固定される高さ位置を適宜選択することができる。
【００４１】
上記実施形態のフレーム接続構造によれば、以下のような効果を得ることができる。
（１）上記実施形態では、接続部材４０は、縦フレーム１０に固定されるとともに横フレーム２０に係合され、縦フレーム１０と横フレーム２０とをＬ字状に接続する。支柱３０は、係合部Ｆに対して前記Ｌ字の外側から重ねられるように配置される。そして、支柱３０と係合部Ｆとが、前記Ｌ字の内側から縦フレーム１０の長手方向と略平行方向へとナット７６が締結されることで固定される。このため、ナット７６を締結する際に、締結作業に対して空間的な制約を与える部材が、縦フレーム１０及び接続部材４０のみとなり、図８に示すように、スパナＳを回転させることができる角度Ｙを１８０°以上の大きな角度とすることができる。従って、前記Ｌ字の内隅部といった奥まった空間で締結作業を行う場合に比べて、ナット７６の締結時間を短縮することができ、組み立て作業性を向上させることができる。また、ナット７６は前記Ｌ字の内側に配置されるため、外観性の向上を図ることができる。
【００４２】
（２）上記実施形態では、ボルト７５は、支柱３０の長手方向に沿ってスライド自在に保持されるため、縦フレーム１０と横フレーム２０とにより形成される水平フレームを、支柱３０の高さ方向の任意の位置で固定することができる。また、ボルト７５は、係合部Ｆに設けられたねじ孔２６，２７，５７，５８に挿通されるとともに、回り止めがされた状態で支柱３０に保持されるため、係合部Ｆを所望の位置に位置決めしながら、容易にナット７６の締結作業を行うことができる。
【００４３】
（３）上記実施形態では、ボルト７５の頭部７５ａは、横フレーム２０と接続部材４０との係合部側に向かって開口する溝部３５に対して保持されるため、ボルト７５の頭部７５ａを接続部Ａの外側から見え難く構成することができ、外観性の向上を図ることができる。また、支柱３０の第２壁体３２には、ボルト７５の頭部７５ａを保持するだけの厚みが確保されていればよいため、第２壁体３２を薄型化することができ、エアコン置台１の有効空間を増加させることができる。
【００４４】
（４）上記実施形態では、接続部材４０は、延設部４２が横フレーム２０の中空部２１の内面と嵌合することで、横フレーム２０に係合されるため、接続部材４０によって水平フレームを形成したときに、縦フレーム１０と横フレーム２０との仮組み状態を安定して維持することができ、組み立て作業における取り扱いが容易となる。また、横フレーム２０の中空部２１の内面を利用して係合部Ｆが形成されるため、外観性の向上を図ることができる。
【００４５】
（５）上記実施形態では、支柱３０は、第１壁体３１と第２壁体３２とがＬ字状に配置されて形成されるため、支柱３０の強度を向上させることができる。また、第１壁体３１はねじ７４によって縦フレーム１０に対してねじ固定され、第２壁体３２はボルト７５及びナット７６によって横フレーム２０と接続部材４０との係合部Ｆに固定されるため、各フレーム１０，２０及び支柱３０の結合強度を増加させ、エアコン置台１の耐荷重性を向上させることができる。
【００４６】
なお、上記実施形態は以下のように変更してもよい。
・上記実施形態では、ボルト７５とナット７６との締結によって、支柱３０と係合部Ｆとを固定するように構成しているが、ねじ部材を支柱３０に対してねじ固定する等、他の締結方法によって支柱３０と係合部Ｆとを固定するようにしてもよい。
【００４７】
・上記実施形態では、ボルト７５は、溝部３５により支柱３０の長手方向に沿ってスライド自在に保持されているが、ボルト７５を支柱３０の所定の高さ位置に保持するように構成してもよい。また、ボルト７５は、溝部３５により回り止めがされた状態で支柱３０に保持されているが、ナット７６の締結時にボルト７５の回り止め治具を用いる等、他の回り止め手段又は回り止め構成を用いてもよい。またこの場合、ボルト７５が、支柱３０の所定位置に設けられたねじ孔を挿通するように構成してもよい。
【００４８】
・上記実施形態では、接続部材４０の延設部４２と横フレーム２０の中空部２１との嵌合により、横フレーム２０と接続部材４０とを係合しているが、係止爪と係止孔との係合といった他の係合態様により横フレーム２０と接続部材４０とを係合してもよい。また、横フレーム２０と接続部材４０との係合部Ｆは、横フレーム２０の中空部２１以外の箇所に設けられていてもよい。
【００４９】
・上記実施形態では、支柱３０は、第１壁体３１と第２壁体３２とがＬ字状に配置されて形成されているが、係合部Ｆに固定される第２壁体３２のみで形成してもよい。
・上記実施形態の縦フレーム１０、横フレーム２０及び支柱３０の構成を互いに入れ替えてエアコン置台１を構成してもよい。
【００５０】
・上記実施形態では、横フレーム２０、支柱３０、及び接続部材４０を、アルミ等の押出加工により形成しているが、他の材料、他の製造方法により形成してもよい。また、縦フレーム１０をアルミ等の押出加工により形成してもよい。
【００５１】
・上記実施形態では、１台のエアコン室外機が載置されるエアコン置台１のフレーム接続構造に本発明を適用したが、縦フレーム及び横フレームにより構成される水平フレームが支柱に対して複数面設けられ、複数台のエアコン室外機を載置することができる多段のエアコン置台のフレーム接続構造についても本発明を適用することができる。
【００５２】
・また、上記実施形態では、エアコン置台のフレーム接続構造に本発明のフレーム接続構造を適用したが、略直交状に接続されるフレーム接続構造であれば、エアコン置台以外のフレーム接続構造についても本発明のフレーム接続構造を適用することができる。
【図面の簡単な説明】
【００５３】
【図１】本発明に係るフレーム接続構造を適用したエアコン置台の斜視図。
【図２】各フレームの接続部における分解斜視図。
【図３】横フレームと載置ステーとの固定状態を示す断面図。
【図４】各フレームの接続部をエアコン置台の上方からみたときの平面図。
【図５】図４のＢ−Ｂ線に沿う断面図。
【図６】図４のＣ−Ｃ線に沿う断面図。
【図７】図６のＤ−Ｄ線に沿う断面図。
【図８】図４の矢印Ｅ方向の矢視図。
【図９】従来例におけるエアコン置台のフレーム接続構造を示す断面図。
【符号の説明】
【００５４】
１…エアコン置台、１０…縦フレーム、２０…横フレーム、３０…支柱、３５…溝部、４０…接続部材、４１…固定部、４２…延設部、６０…載置ステー、７０…アジャスタ、７５…ボルト、７６…ナット。
【図１】
2008057834.tif 000003
【図２】
2008057834.tif 000004
【図３】
2008057834.tif 000005
【図４】
2008057834.tif 000006
【図５】
2008057834.tif 000007
【図６】
2008057834.tif 000008
【図７】
2008057834.tif 000009
【図８】
2008057834.tif 000010
【図９】
2008057834.tif 000011